(57)【特許請求の範囲】
【請求項１】
光源と露光レンズの間に配置され、露光レンズへ送られる光の色調を調整するＣＣフィルターの取付構造において、
同一色層が表面に形成された一対の透明板を、色層同士が接触しないように対面させ、ラップする方向あるいは離れる方向へ所定の隙間を保持してスライドさせるようにしたことを特徴とするＣＣフィルターの取付構造。
【請求項２】
光源と露光レンズの間に配置され、露光レンズへ送られる光の色調を調整するＣＣフィルターの取付構造において、
同一色層が一面に形成された透明板の他面の外縁を保持する取付枠と、前記色層が対面するように配置された一対の前記取付枠を同期して平行にスライドさせるスライド機構と、を設けたことを特徴とするＣＣフィルターの取付構造。
【発明の詳細な説明】
【０００１】
【産業上の利用分野】
光源と露光レンズの間に配置され、露光レンズへ送られる光の色調を調整するＣＣフィルターの取付構造に関する。
【０００２】
【従来の技術】
プリンタプロセッサでは、光源と露光レンズの間にＣＣフィルターが配置され、露光レンズへ送られる光線の色調が調整されるようになっている。
【０００３】
図７に示すように、ＣＣフィルター１１４、１１６、１１８は、左右に一枚づつ配置された透明板１２０を備えており、この透明板１２０には、光源から照射される光線Ｌ側に有色の蒸着層１２２が形成されている。透明板１２０の外縁は取付枠１２４で保持されており、この取付枠１２４を図示しないスライド機構によって矢印Ａ方向へ同期してスライドさせることによって、所望のＣＣフィルター１１８へ光線を透過させることができるようになっている。
【０００４】
しかしながら、従来のＣＣフィルター１１８の取付構造では、同色の蒸着層１２２を持つ左右の一対のＣＣフィルター１１８をラップせたとき、少なくとも取付枠１２４の板厚分の隙間Ｓが生じる。この隙間Ｓが大きいと、多重反射を生じたり、あるいは、光線Ｌが斜め光となって、露光レンズへ入射したりして、プリントの品質が低下する。
【０００５】
【発明が解決しようとする課題】
本発明は上記事実を考慮し、ＣＣフィルターをラップさせたときの隙間を最小限とすることを目的とする。
【０００６】
【課題を解決するための手段】
請求項１に記載のＣＣフィルターの取付構造は、光源と露光レンズの間に配置され、露光レンズへ送られる光の色調を調整するＣＣフィルターの取付構造において、同一色層が表面に形成された一対の透明板を、色層同士が接触しないように対面させ、ラップする方向あるいは離れる方向へ所定の隙間を保持してスライドさせるようにしたことを特徴としている。
【０００７】
請求項２に記載のＣＣフィルターの取付構造は、光源と露光レンズの間に配置され、露光レンズへ送られる光の色調を調整するＣＣフィルターの取付構造において、同一色層が一面に形成された透明板の他面の外縁を保持する取付枠と、前記色層が対面するように配置された一対の前記取付枠を同期して平行にスライドさせるスライド機構と、を設けたことを特徴としている。
【０００８】
【作用】
請求項１に記載のＣＣフィルターの取付構造では、一対の透明板の表面に同じ色の色層が形成されている。この色層を対面させ、色層同士が接触しない程度にできるだけ接近させることで、ＣＣフィルターがラップしたときの隙間を小さくできる。これによって、多重反射や、斜め光が露光レンズへ入射することを防ぐことができる。
【０００９】
請求項２に記載のＣＣフィルターの取付構造では、スライド機構によって、一対の取付枠が同期して平行にスライドするようなっている。この取付枠は、色層が一面に形成された透明板の他面の外縁をそれぞれ保持し、色層同志が対面するように配置されている。
【００１０】
これによって、ＣＣフィルターの隙間は、取付枠の板厚に依存することがなく、色層が対面した状態で一定の隙間を保持し、ラップする方向あるいは離れる方向へスライドすることができる。
【００１１】
【実施例】
図５及び図６には本実施例に係る光学部品の取付構造が採用されたプリンタプロセッサ１０の概略が示されている。
（プリンタプロセッサの概略説明）
プリンタプロセッサ１０のプリンタ部を構成する写真焼付部１２は、印画紙Ｐが収納されたペーパマガジン１４を装填できる構造とされている。ペーパマガジン１４から送り出された印画紙Ｐは、カッタ２２で所望の長さに切断された後に、吸着ベルト４４に乗せられて露光光線の光軸Ｓ上へ搬送停止される。
【００１２】
この吸着ベルト４４には、全域に渡って多数の小孔が形成されており、ダクト４６の上面に形成された小孔を通じて、吸引ファン６８から印画紙Ｐを吸着する吸引力が付与されるようになっている。
【００１３】
プリンタプロセッサ１０のケーシング１０Ａの上面には、光源２６が配設された光源ボックス２７が設けられている。この光源ボックス２７の側壁は開口され、この開口へ拡散ボックス２８が挿入されている。この拡散ボックス２８の中には、ミラー及び拡散板が設けられており、光源２６の光量が出口で多く且つフラットとなるように構成されている。
【００１４】
この拡散ボックス２８の屈曲部において、光源ボックス２７内に配置された３組のＣＣフィルター２４で色調が調整された光源の光線が、水平方向から鉛直方向へ屈曲される。
【００１５】
鉛直方向へ屈曲された光線は、ケーシング１０Ａに置かれたネガキャリア３０にセットされたネガフィルムＮを透過して露光光線となる。この露光光線は、露光レンズユニット３９を通過して下域へ配置されている印画紙Ｐの上に、ネガフィルムＮの画像を結像させるようになっている。
【００１６】
ここで、ブラックシャッタ３５が所定時間開いて、画像の焼付けが終了した印画紙Ｐは、案内ローラ５６と押さえローラ５８との間に挟持されて、搬送路６０を介して、現像、漂白定着、及び水洗の各処理を行う処理槽７８へ搬送される。
【００１７】
最後に水洗槽で水洗処理された印画紙Ｐは上部に配設された乾燥処理部８０へ搬送される。乾燥処理部８０において乾燥処理された印画紙Ｐは、搬送方向切り換え機構が設けられた搬送路８４を通って、排出口９０か濃度測定ユニット９２を経由して機外へ排出される。
（ＣＣフィルターの取付構造）
図１から図４に示すように、光源ボックス２７の中には、それぞれ色の異なる３組のＣＣフィルター２０、２４、３２が配設されている。ここで、各ＣＣフィルターの構造は細部を除いて同一であるので、光源２６側に配置されるＣＣフィルター３２を例に採って説明する。
【００１８】
ＣＣフィルター３２は、同色の蒸着層３８が形成された一対の透明板３４で構成されている。透明板３４の外縁は、向い合う面の枠部がないコ字状の取付枠４０、４２に形成された段部４８へ嵌め込まれ接着されている。図２及び図３に示すように、左右の取付枠４０、４２には、それぞれ段部４８が反対側に形成されており、段部４８に嵌め込まれた透明板３４の表面が取付枠４０、４２の外面より突出している。この突出した面へ同色の蒸着層３８が形成され、所定の隙間を空けて対面している。すなわち、蒸着層３８が形成された透明板３４の反対面を取付枠４０、４２で保持することによって、取付枠４０、４２の板厚に左右されることなく、蒸着層３８を最大限に接近させることができる。なお、本実施例では、この蒸着層３８の隙間が０．８ｍｍ程度の隙間に設定されている。
【００１９】
図１及び図２に示すように、取付枠４０、４２の上部外端には、ブラケット５２、５４がそれぞれが立設している。このブラケット５２には、連結プレート６２がビスで固定され、ブラケット５４には、連結プレート６４がビスで固定されている。この連結プレート６２、６４には、ブロック状のピース６６が設けられている。このピース６６には、透明板３４と平行にガイド孔８２が貫通している。ガイド孔８２には、図示しない側壁に両端が支持されたシャフト８６が貫通しており、このシャフト８６に案内され、透明板３４が所定の隙間を維持して矢印Ａ方向へスライドするようになっている。また、図４に示すように、取付枠４０、４２の下端は、ガイドブロック８８に形成されたガイド溝にガイドされており、上下ガタ付くことなくスライドできるようになっている。
【００２０】
一方、シャフト８６の上方には、タイミングベルト９４が配設されている。このタイミングベルト９４の一端は、シャフト９６に軸支されたギア９８に巻き掛けられている。このギア９８の両側には、カラー１００、１０２、１０４が押し当てられており、ＣＣフィルター２０、２４、３２を駆動させるそれぞれのタイミングベルトの間隔を一定に保持するようになっている。
【００２１】
また、タイミングベルト９４の他端は、モータ１０６の回転軸１０８に軸支された駆動ギア１１０に巻き掛けられている。
【００２２】
このタイミングベルト９４の上部には、図上右側の連結プレート６２が、下部には、図上左側の連結プレート６４が、それぞれ連結されている。これによって、モータ１０６よって、例えば、タイミングベルト９４が反時計方向へ循環すると、左右の透明板３４は離れる方向へスライドする。また、シャフト８６の両端部付近には、ストッパ１１２が設けられており、このストッパ１１２にピース６６が当たって、ＣＣフィルター３２が機能しない状態で位置決めされる。
【００２３】
次に、本実施例に係るＣＣフィルター３２の作動を説明する。
３組のＣＣフィルター２０、２４、３２は、独自の駆動系を持っており、オペレータの操作により任意にスライドするのであるが、ここでは、ＣＣフィルター２０、２４、３２の組合せ合わせについては割愛し、ＣＣフィルター３２独自の作動について説明する。
【００２４】
図１及び図２に示すように、ＣＣフィルター３２を通さずに、光源２６からの光を拡散ボックス２８へ送る場合、モータ１０６駆動してタイミングベルト９４を反時計方向へ回転させる。透明板３４がスライドし、シャフト８６の両端部付近に設けられたストッパー１１２にピース６６が当たった状態で、光源２６からの光が透光可能な開口が形成される。
【００２５】
一方、ＣＣフィルター３２を通して、光源２６からの光を拡散ボックス２８へ送る場合、モータ１０６を駆動してタイミングベルト９４を時計方向へ回転させる。これによって、図３に示すように、透明板３４がラップする方向へスライドする。
【００２６】
このとき、取付枠４０、４２は、蒸着層３８が形成された透明板３４の反対面の外縁をそれぞれ保持し、蒸着層３８を対面させるようになっている。これにより、蒸着層３８の間の隙間は、取付枠４０、４２の板厚に依存することがなく、できる限り小さくすることができる。このため、光源２６からの光が多重反射したり、斜め光が拡散ボックス２８へ入射することを防ぐことができる。
【００２７】
なお、本実施例では、透明板３４の外周縁をコ字状の取付枠４０、４２で保持するようにしたが、透明板３４の蒸着層３８が対面するような保持方法であれば、特に限定されず、透明板３４の後端の一辺を板材で挟持して保持するようにしてもよい。
【００２８】
【発明の効果】
本発明は上記構成としたので、ＣＣフィルターをラップさせたときの隙間を最小限にすることができ、多重反射や斜め光の発生を防止できる。
【図面の簡単な説明】
【図１】本実施例に係るＣＣフィルターの分解斜視図である。
【図２】本実施例に係るＣＣフィルターの正面図である。
【図３】本実施例に係るＣＣフィルターの断面図である。
【図４】本実施例に係るＣＣフィルターの取付状態を示す概略図である。
【図５】プリンタプロセッサの全体構成を示す概略図である。
【図６】プリンタプロセッサの全体斜視図である。
【図７】従来のＣＣフィルターの断面図である。
【符号の説明】
３８    蒸着層（色層）
３４    透明板
４０    取付枠
４２    取付枠
５０    段部
８６    シャフト（スライド機構）
９４    タイミングベルト（スライド機構）
９８    ギア（スライド機構）
１１０  駆動ギア（スライド機構）
【図１】
0003765841.tif 000002
【図２】
0003765841.tif 000003
【図３】
0003765841.tif 000004
【図４】
0003765841.tif 000005
【図５】
0003765841.tif 000006
【図６】
0003765841.tif 000007
【図７】
0003765841.tif 000008